(57)【特許請求の範囲】
【請求項１】
本線部分と、その本線部分から直交状に分岐する分岐部分とからなるＴ字状の電線分岐部を結束保護するための分岐部保護シートであって、
正方形又は四角形のシート本体に、中央部を残して前記シート本体を上下のラップ部に分離する左右一対の横スリットを形成して、上下何れか一方のラップ部の左右方向の側辺の中央に、前記分岐部分の幅以下の間隔を有して前記横スリットと直交する一対の縦スリットを前記中央部を残して形成して、
前記一方のラップ部における前記縦スリットと直交する側辺に沿って、前記縦スリットの長さよりも幅の小さい接着面を設けると共に、前記シート本体の他方のラップ部における前記横スリットと直交する両側辺に沿って、前記横スリットの長さよりも幅の小さい接着面を設けたことを特徴とする分岐部保護シート。
【請求項２】
本線部分と、その本線部分から直交状に分岐する分岐部分とからなるＴ字状の電線分岐部を結束保護する方法であって、
請求項１に記載の分岐部保護シート上の前記一方のラップ部に前記横スリットに沿って前記本線部分をセットすると共に、前記縦スリットの延長上で前記横スリットの間を通るように前記分岐部分を前記他方のラップ部にセットして、前記他方のラップ部を前記分岐部分に左右方向から巻き付けて前記接着面を利用して固定する一方、前記一方のラップ部を前記本線部分に上下方向から巻き付けて前記接着面を利用して固定することを特徴とする分岐部保護方法。
【発明の詳細な説明】
【技術分野】
【０００１】
本発明は、自動車用のワイヤハーネス等の電線束に設けられるＴ字状の電線分岐部を保護するための分岐部保護シートと、その分岐部保護シートを用いた分岐部保護方法とに関する。
【背景技術】
【０００２】
ワイヤハーネス等の電線束においては、所定位置から一部の電線がＴ字状に分岐する電線分岐部が設けられる場合がある。この電線分岐部は、絶縁テープを巻回する等して結束保護する必要があるが、結束作業が面倒である上、作業にばらつきが生じる。そこで、特許文献１に開示の如く、表面に粘着剤が塗布されて柔軟性を有する長方形のシートに、各辺からそれぞれ直交状にスリットを形成してなる分岐シートが考案されている。これは、電線分岐部を分岐シートにより覆った後、スリット間に形成される折り返し面を他のスリットを通して電線分岐部の外周面に沿って順番に折り返すことにより、電線分岐部を結束可能としたものである。
【先行技術文献】
【特許文献】
【０００３】
【特許文献１】特開平９−１１７０３４号公報
【発明の概要】
【発明が解決しようとする課題】
【０００４】
上記分岐シートは、全面に接着剤が塗布される上、結束の際に折り返し面を他のスリットに通して接着する手順となるため、手順を間違えたり、結束の際に折り返し面同士が勝手に接着して剥がす作業が生じたりして手間が掛かる。
また、電線分岐部に対する位置決めが難しいため、各折り返し面の巻き付け量にムラが生じやすく、見栄えが悪くなるおそれもある。
【０００５】
そこで、本発明は、簡単な手順で結束作業が楽に行え、結束のばらつきもなく見栄えも良好となって作業性や信頼性に優れる分岐部保護シート及び分岐部保護方法を提供することを目的としたものである。
【課題を解決するための手段】
【０００６】
上記目的を達成するために、請求項１に記載の発明は、本線部分と、その本線部分から直交状に分岐する分岐部分とからなるＴ字状の電線分岐部を結束保護するための分岐部保護シートであって、正方形又は四角形のシート本体に、中央部を残してシート本体を上下のラップ部に分離する左右一対の横スリットを形成して、上下何れか一方のラップ部の左右方向の側辺の中央に、分岐部分の幅以下の間隔を有して横スリットと直交する一対の縦スリットを中央部を残して形成して、一方のラップ部における縦スリットと直交する側辺に沿って、縦スリットの長さよりも幅の小さい接着面を設けると共に、シート本体の他方のラップ部における横スリットと直交する両側辺に沿って、横スリットの長さよりも幅の小さい接着面を設けたことを特徴とするものである。
上記目的を達成するために、請求項２に記載の発明は、本線部分と、その本線部分から直交状に分岐する分岐部分とからなるＴ字状の電線分岐部を結束保護する方法であって、請求項１に記載の分岐部保護シート上の一方のラップ部に横スリットに沿って本線部分をセットすると共に、縦スリットの延長上で横スリットの間を通るように分岐部分を他方のラップ部にセットして、他方のラップ部を分岐部分に左右方向から巻き付けて接着面を利用して固定する一方、一方のラップ部を本線部分に上下方向から巻き付けて接着面を利用して固定することを特徴とするものである。
なお、電線分岐部の「直交状」は、厳密な直交を含む他、本線部分に対して分岐部分が僅かに傾いて分岐する略直交も含む。
【発明の効果】
【０００７】
請求項１及び２に記載の発明によれば、簡単な手順で電線分岐部の結束作業が楽に行え、結束のばらつきもなく見栄えも良好となる。従って、電線分岐部の結束に係る作業性や信頼性に優れたものとなる。
特に、横スリットと直交する一対の縦スリットを、分岐部分の幅以下の間隔で形成しているので、縦スリット間に形成されるラップ部分を電線分岐部に巻き付けて接着する際に、当該ラップ部分が分岐部分の表面に合わせて変形し、見栄えよく接着される。また、電線分岐部から電線を引き出す場合も縦スリットの間のラップ部分から容易に引き出すことができる。
そして、他方のラップ部における横スリットと直交する両側辺に沿って接着面を設けているので、一方の接着面を仮止めに利用でき、結束途中でずれたり緩んだりするおそれがなくなって作業性がより良好となる。
【図面の簡単な説明】
【０００８】
【図１】分岐部保護シートの説明図である。
【図２】（Ａ）〜（Ｆ）は分岐部保護方法の説明図である。
【図３】分岐部保護シートの変更例の説明図である。
【発明を実施するための形態】
【０００９】
以下、本発明の実施の形態を図面に基づいて説明する。
図１に分岐部保護シートの一例を示す。この分岐部保護シート（以下単に「保護シート」という。）１は、エポキシフィルム、ポリイミドフィルム等で作製されて柔軟性を有する正方形のシート本体２を有し、シート本体２の上下方向の中間には、左右の側辺からそれぞれ直交状に一対の横スリット３，３が、シート本体２の中央部で終端間に所定間隔（例えば２０〜２５ｍｍ）を残して形成されている。
また、横スリット３，３によって上下に分離されるシート本体２の下側部分で下辺の中央には、後述する電線分岐部２０の分岐部分２２の幅以下となる間隔で下辺から直交状に一対の縦スリット４，４が、これもシート本体２の中央部を残して下側部分の略中間位置に達する長さで形成されている。
【００１０】
さらに、シート本体２の上側部分で横スリット３と隣接する左側の側辺には、所定幅で上下方向に亘って両面テープからなる接着面５が形成される一方、シート本体２の下側部分の下辺にも、所定幅で縦スリット４を除く左右方向に亘って両面テープからなる接着面６が形成されている。
これにより、保護シート１には、横スリット３，３の上側部分に上ラップ部７が形成される一方、横スリット３，３の下側部分に下ラップ部８が形成されて、さらに下ラップ部８は、縦スリット４，４によって、左端の左下ラップ部９と、右端の右下ラップ部１０と、中央の中下ラップ部１０とに分離形成される。
【００１１】
以上の如く構成された保護シート１を用いて、ワイヤハーネスにおけるＴ字状の電線分岐部を保護する方法を説明する。
まず、図２（Ａ）に示すように、本線部分２１と、その本線部分２１から直交状に分岐する分岐部分２２とからなるＴ字状の電線分岐部２０を、分岐部分２２が上向きとなる逆Ｔ字状の向きで、本線部分２１が下ラップ部８上で横スリット３，３に沿って位置し、且つ分岐部分２２が縦スリット４，４の延長上で横スリット３，３の間を通るように上ラップ部７上で位置するように保護シート１上にセットする。このとき、分岐部分２２の下方に位置する縦スリット４，４によって分岐部分２２の位置決めがしやすくなる。
【００１２】
次に、同図（Ａ）に矢印で示すように、分岐部分２２に対して上ラップ部７の接着面５を有しない右側を巻き付けた後、上ラップ部７の左側をその上から巻き付けて接着面５によって固定する。すると、同図（Ｂ）に示すように、分岐部分２２が上ラップ部７によってラップされる。
【００１３】
続いて、左下ラップ部９を本線部分２１の左側に下から巻き付けて接着面６で固定すると、同図（Ｃ）に示すように、本線部分２１の左側が左下ラップ部９によってラップされる。その後、右下ラップ部１０を本線部分２１の右側に下から巻き付けて接着面６で固定すると、同図（Ｄ）に示すように、本線部分２１の右側が右下ラップ部１０によってラップされる。
【００１４】
そして、残った中小ラップ部１１を本線部分２１から分岐部分２２に掛けて下から巻き付けて接着面６で固定する。すると、同図（Ｅ）に示すように、電線分岐部２０は保護シート１によって全体がラップされる。最後に絶縁テープ１２で保護シート１の全体を巻回すれば、同図（Ｆ）のように電線分岐部２０の結束は終了する。
なお、電線分岐部２０からさらに一又は複数の電線を引き出す場合は、左右下ラップ部８，９の間から中小ラップ部１１の巻き付け部分から引き出すことができる。
【００１５】
このように、上記形態の保護シート１は、正方形のシート本体２に、中央部を残してシート本体２を上下ラップ部７，８に分離する左右一対の横スリット３，３を形成して、下ラップ部８の左右方向の側辺の中央に、分岐部分２２の幅以下の間隔を有して横スリット３，３と直交する一対の縦スリット４，４を中央部を残して形成して、下ラップ部８における縦スリット４，４と直交する側辺と、上ラップ部７における横スリット３，３と直交する側辺とに沿って接着面５，６をそれぞれ設けてなる。
【００１６】
そして、上記形態の分岐部保護方法は、保護シート１の下ラップ部８に横スリット３，３に沿って本線部分２１をセットすると共に、縦スリット４，４の延長上で横スリット３，３の間を通るように分岐部分２２を上ラップ部７にセットして、上ラップ部７によって分岐部分２２を左右方向から巻き付けて接着面５を利用して固定する一方、下ラップ部８によって本線部分２１を上下方向から巻き付けて接着面６を利用して固定するようにしている。
【００１７】
従って、上記形態の保護シート１及び分岐部保護方法によれば、簡単な手順で電線分岐部２０の結束作業が楽に行え、結束のばらつきもなく見栄えも良好となって、電線分岐部２０の結束に係る作業性や信頼性に優れたものとなる。
特に、保護シート１において、分岐部分２２の幅以下の間隔で縦スリット４，４を形成しているので、中下ラップ部１１を電線分岐部２０に巻き付けて接着する際に中下ラップ部１１が分岐部分２２の表面に合わせて変形し、見栄え良く接着される。
【００１８】
なお、上記形態では、電線分岐部を逆Ｔ字状にセットして結束する手順を説明しているが、保護シートを上下逆にして電線分岐部をＴ字状にセットしても同様の手順となる。また、上ラップ部と下ラップ部との巻き付けの順番も適宜変更して差し支えない。
さらに、横スリットの間隔は、結束する分岐部分の径に設定すればよいが、分岐部分の径が異なるものでも結束できるように、想定される分岐部分の最小径に合わせて設定するのが望ましい。これは縦スリットの終端位置についても同様で、横スリットとの間隔は、結束する本線部分の径に設定すればよいが、想定される本線部分の最小径に合わせて設定するのが望ましい。
加えて、保護シートは正方形に限らず、四角形であっても同様に適用できる。
【００１９】
一方、上記形態では、シート本体の上ラップ部の一方の側辺にのみ接着面を設けているが、図３に示すように上ラップ部７の両側辺に接着面５，５を設けてもよい。このように両側辺に設ければ、一方の接着面を仮止めに利用でき、結束途中で上ラップ部７がずれたり緩んだりするおそれがなくなって作業性がより良好となる。
また、接着面は両面テープを用いる以外に、面ファスナーを用いたり、結束の際に側辺に接着剤を塗布したりして形成しても差し支えない。
【符号の説明】
【００２０】
１・・分岐部保護シート、２・・シート本体、３・・横スリット、４・・縦スリット、５，６・・接着面、７・・上ラップ部、８・・下ラップ部、９・・左下ラップ部、１０・・右下ラップ部、１１・・中下ラップ部、１２・・絶縁テープ、２０・・電線分岐部、２１・・本線部分、２２・・分岐部分。
【図１】
0005607396.tif 000002
【図２】
0005607396.tif 000003
【図３】
0005607396.tif 000004